(57)【特許請求の範囲】
【請求項１】
薬液（５７）又は水が投入される投入手段（３９、４１）と、該投入手段（３９、４１）により投入された前記薬液（５７）又は水が貯留され、密封された薬剤タンク（３１）と、該薬剤タンク（３１）に配設された空気注入口（４５）と、該空気注入口（４５）を通じて前記薬剤タンク（３１）に圧縮した空気を送る空圧ポンプ（４７）と、該空圧ポンプ（４７）を回転駆動するモータ（４９）と、該モータ（４９）に電力を供給する電池（５３）と、該電池（５３）と前記モータ（４９）の間に電気接続され、回路の断接を行うスイッチ（５５）と、前記薬液（５７）又は水を前記薬剤タンク（３１）内の空気圧により噴霧する噴霧手段（１１、１３、１５、１７）とを備え、前記空圧ポンプ（４７）、前記モータ（４９）及び前記電池（５３）は前記薬剤タンク（３１）に搭載され、さらに前記薬剤タンク（３１）内の空気圧を測定する圧力測定手段（５１）と、該圧力測定手段（５１）で測定された圧力値を設定圧力値と比較する圧力比較手段（５１）と、前記電池（５３）と前記モータ（４９）の間に電気接続され、該圧力比較手段（５１）で比較された結果に基づき回路の断接を行う回路断接手段（５１）とを備えたことを特徴とする噴霧機。
【請求項２】
前記投入手段（３９、４１）は、下端部が前記薬剤タンク（３１）の内側に挿入されると共に上端部が前記薬剤タンク（３１）の外側に出され、前記薬剤タンク（３１）の内側と外側を連通する水位管（３９）と、該水位管（３９）の上端部に形成された水入口（３９ａ）と、該水入口（３９ａ）に被せられるキャップ（４１）とを備えたことを特徴とする請求項１記載の噴霧機。
【請求項３】
請求項１又は２記載の前記噴霧機は携帯式であることを特徴とする噴霧機。
【発明の詳細な説明】
【０００１】
【発明の属する技術分野】
本発明は噴霧機に係わり、特に空気圧を利用することで電池の消耗が少なく、小型電池の使用で軽量化の図れる噴霧機に関する。
【０００２】
【従来の技術】
従来の背負型電池噴霧機の正面図を図３に、側面図を図４に示す。背負型電池噴霧機１０には薬剤タンク１が搭載されている。この薬剤タンク１の下部には給水ホース３の一端が接続され、給水ホース３の他端はポンプ５の吸入口５Ａに接続されている。
【０００３】
ポンプ５の吐出口５Ｂは分岐口となっており、一方の口には余水ホース７の一端が接続され、他方の口には吐出ホース９の一端が接続されている。余水ホース７の他端は薬剤タンク１の下部に連絡されている。
【０００４】
吐出ホース９の他端にはグリップ１１が配設され、グリップ１１の先にはバルブ１３、ランス１５を介してノズル１７が取り付けられている。ポンプ５の回転軸はモータ２１により駆動される。モータ２１へは電池２３より給電される。
【０００５】
薬剤タンク１の下部にはブラケット２５が固定され、このブラケット２５にはポンプ５、モータ２１及び電池２３が組み込まれている。電池２３からモータ２１への給電は、ブラケット２５外壁に取り付けられたスイッチ２７により入り切りされる。
【０００６】
スイッチ２７をＯＮにすると電池２３から電気が流れ、モータ２１を駆動する。ポンプ５は薬剤タンク１から薬液を吸水し、加圧する。バルブ１３を開くとノズル１７から霧が噴射し、散布作業が行われる。散布量はバルブ１３により調整可能である。薬剤タンク１及びブラケット２５には背負バンド２９が取り付けられている。
【０００７】
【発明が解決しようとする課題】
ところで、従来の背負型電池噴霧機１０では、ポンプ５で薬液の吸水、加圧を行うため、作業中は電池が消費され続ける。作業時間を確保するため、電池容量を大きくすると、重量が増し、作業性が悪くなる。
【０００８】
また、ポンプ内を薬液が流れるため、接液部の耐薬品性が要求され、コスト上不利になる。
更に、薬剤に水和剤を使用した場合、ポンプの消耗部品の寿命が短くなり、メンテナンス期間が早くなる。
【０００９】
更に、一般に、かかる背負型電池噴霧機１０には電池容量の大きいものが必要で、コストを考えると使用できる電池の種類が限定される。通常、鉛蓄電池が使われるが、自己放電が大きく、故障原因となり易い。
【００１０】
本発明はこのような従来の課題に鑑みてなされたもので、空気圧を利用することで電池の消耗が少なく、小型電池の使用で軽量化の図れる噴霧機を提供することを目的とする。
【００１１】
【課題を解決するための手段】
このため本発明（請求項１）は、薬液（５７）又は水が投入される投入手段（３９、４１）と、該投入手段（３９、４１）により投入された前記薬液（５７）又は水が貯留され、密封された薬剤タンク（３１）と、該薬剤タンク（３１）に配設された空気注入口（４５）と、該空気注入口（４５）を通じて前記薬剤タンク（３１）に圧縮した空気を送る空圧ポンプ（４７）と、該空圧ポンプ（４７）を回転駆動するモータ（４９）と、該モータ（４９）に電力を供給する電池（５３）と、該電池（５３）と前記モータ（４９）の間に電気接続され、回路の断接を行うスイッチ（５５）と、前記薬液（５７）又は水を前記薬剤タンク（３１）内の空気圧により噴霧する噴霧手段（１１、１３、１５、１７）とを備え、前記空圧ポンプ（４７）、前記モータ（４９）及び前記電池（５３）は前記薬剤タンク（３１）に搭載されたことを特徴とする。
【００１２】
まず、薬剤タンク（３１）に投入手段（３９、４１）より薬液（５７）又は水を投入する。その後、スイッチ（５５）を投入して空圧ポンプ（４７）により薬剤タンク（３１）内に空気を充填する。以降は、この蓄圧された空気を利用して噴霧手段（１１、１３、１５、１７）より散布可能である。
【００１３】
以上により、散布以前に１回のみ空気を蓄圧すればよいので、電池（５３）の消費が少なく、電池容量を小さくすることができる。また、電池（５３）の重量を軽くできる。
【００１４】
また、本発明（請求項２）は、前記投入手段（３９、４１）は、下端部が前記薬剤タンク（３１）の内側に挿入されると共に上端部が前記薬剤タンク（３１）の外側に出され、前記薬剤タンク（３１）の内側と外側を連通する水位管（３９）と、該水位管（３９）の上端部に形成された水入口（３９ａ）と、該水入口（３９ａ）に被せられるキャップ（４１）とを備えて構成した。
【００１５】
水位管（３９）の形状は真っ直ぐな筒管を下端部より上端部に向けて斜めに配設してもよいし、Ｌ字状管等としてもよい。薬剤タンク（３１）内に薬液（５７）を入れた後には、水入口（３９ａ）にキャップ（４１）を被せ、薬剤タンク（３１）内を気水密状態とする。
【００１６】
この際には、液位の最高値が水位管（３９）の下端部を超えることはないので、薬剤タンク（３１）内には空気が蓄圧に必要な容積が確保され、また、空圧ポンプ（４７）や圧力測定手段（５１）に薬液（５７）が付くことはない。
【００１７】
このため、空圧ポンプ（４７）や圧力測定手段（５１）に対し、耐薬品性を特別に考慮する必要がなく、コスト上有利である。また、空圧ポンプ（４７）内は空気のみなので、メンテナンスが容易で消耗部品の寿命も安定する。
【００１８】
更に、本発明（請求項３）は、前記薬剤タンク（３１）内の空気圧を測定する圧力測定手段（５１）と、該圧力測定手段（５１）で測定された圧力値を設定圧力値と比較する圧力比較手段（５１）と、前記電池（５３）と前記モータ（４９）の間に電気接続され、該圧力比較手段（５１）で比較された結果に基づき回路の断接を行う回路断接手段（５１）とを備えて構成した。
【００１９】
圧力測定手段（５１）、圧力比較手段（５１）及び回路断接手段（５１）はそれぞれ別個に配設されてもよいが、一つの部材として配設されてもよい。薬剤タンク（３１）内の空気圧は圧力測定手段（５１）で測定され、圧力比較手段（５１）で設定圧力値と比較される。
【００２０】
その結果、例えば薬剤タンク（３１）内の空気圧が設定圧力値を超えたとき、回路断接手段（５１）により回路は切断される。以降は、この蓄圧された空気を利用して噴霧手段（１１、１３、１５、１７）より散布可能である。
【００２１】
なお、設定圧力値には上限値の他に、下限値を設けるようにしてもよい。この場合には、薬剤タンク（３１）内の空気圧が散布中に下限値を下回ったとき、回路断接手段（５１）により回路を再び接続し、モータ（４９）を駆動する。
【００２２】
以上により、薬剤タンク（３１）内の空気の蓄圧作業及び散布作業が楽に確実に行える。
【００２３】
更に、本発明（請求項４）は、請求項１、２又は３記載の前記噴霧機は携帯式であることを特徴とする。
【００２４】
携帯式とは、例えば背負式、肩掛式、手持式である。電池（５３）等は軽量化出来るため、噴霧機（２０）の重量を軽くできる。このため、散布作業が楽に行える。
【００２５】
【発明の実施の形態】
以下、本発明の実施形態について説明する。本発明の実施形態である背負型電池噴霧機２０の構成図を図１に示す。なお、図３及び図４と同一要素のものについては同一符号を付して説明は省略する。
【００２６】
図１において、薬剤タンク３１の上部には、周囲にネジの刻設された筒口３３が突設されている。この筒口３３には、ブラケット３５の底面３５ａに配設された筒口受部３７が螺合されるようになっている。ブラケット３５の外周は、薬剤タンク３１の外周と一致するようになっている。
【００２７】
薬剤タンク３１の上側部には、円筒状の水位管３９が挿入固定されている。この水位管３９は、下端部が薬剤タンク３１の内側に、上端部が薬剤タンク３１の外側に出され、かつ上端部に配設された水入口３９ａより投入された水が下端部まで落下されるよう傾斜して配設されている。水位管３９の上端部にはキャップ４１が被されている。
【００２８】
薬剤タンク３１の下側部には吐出口４３が設けられ、この吐出口４３と吐出ホース９の一端が接続されている。ブラケット３５の底面３５ａを貫通し、筒口３３の内側に達するように貫通パイプ４５が設けられている。
【００２９】
この貫通パイプ４５の上端には空圧ポンプ４７が固定され、空圧ポンプ４７の回転軸はモータ４９により駆動されるようになっている。また、ブラケット３５の底面３５ａには圧力スイッチ５１が貫通固定され、圧力スイッチ５１の検出部は筒口３３の内側に達するようになっている。
【００３０】
モータ４９へは電池５３より給電される。ブラケット３５の内側には空圧ポンプ４７、モータ４９及び電池５３が組み込まれている。電池５３からモータ４９への給電は、ブラケット３５外壁に取り付けられたスイッチ５５により入り切りされるようになっている。
図２に背負型電池噴霧機２０の回路接続図を示す。
【００３１】
次に、本発明の実施形態の動作を説明する。
薬剤タンク３１内には薬液５７を予め水位管３９の水入口３９ａより入れ、その後キャップ４１を締め、薬剤タンク３１内を気水密状態にしておく。この際には、薬液５７は薬剤タンク３１内に封じ込められた空気により、水位管３９の下端部を超えて液位が上昇することはない。
【００３２】
従って、空圧ポンプ４７や圧力スイッチ５１に薬液５７が付くことはない。このため、空圧ポンプ４７や圧力スイッチ５１に対し、耐薬品性を特別に考慮する必要がなく、コスト上有利である。また、空圧ポンプ４７内は空気のみなので、メンテナンスが容易で消耗部品の寿命も安定する。
【００３３】
スイッチ５５を入れるとモーター４９が駆動し、空圧ポンプ４７が作動する。空圧ポンプ４７は空気を薬剤タンク３１内に送り込む。予め設定した設定圧力値である例えば０．５ＭＰａになると、圧力スイッチ５１が働き、空圧ポンプ４７は停止し、薬剤タンク３１内は０．５ＭＰａの一定圧に保持される。
【００３４】
バルブ１３を開くと、加圧された薬液５７がノズル１７から噴射され、空気圧によりすべて排出される。薬液５７をすべて噴霧し終えたら、水位管３９の水入口３９ａから再び薬液５７を入れスイッチ５５を入れる。
【００３５】
なお、圧力スイッチを別にもう一つ配設し、噴霧中に例えば０．２ＭＰａになったとき、モーター４９をＯＮし、空気を補充する設定とすることもできる。また、圧力スイッチに代えて圧力センサを配設し、検出された圧力信号を予め設定した設定圧力値と比較するようにしてもよい。
【００３６】
このように、空圧ポンプ４７を１回駆動すれば薬剤タンク３１内の空気圧を所定圧力値に出来、以降はこの蓄圧された空気を利用して散布可能である。このため、電池５３の消費が少なく、電池容量を小さくすることができ、背負型電池噴霧機２０の重量を軽くできる。
【００３７】
電池５３としては、電池容量が小さく、コスト上も有利なため、用途に応じた電池の選定ができる。例えば、ニッカドを用いれば電池５３が放電された状態で長期間保管されても再使用可能である。また、鉛電池を用いた場合には安価に構成可能である。
【００３８】
【発明の効果】
以上説明したように本発明によれば、空圧ポンプ（４７）により薬剤タンク（３１）内に空気が充填される。その後は、この蓄圧された空気を利用して噴霧手段（１１、１３、１５、１７）より散布可能である。
【００３９】
蓄圧は散布以前に１回のみ蓄圧すればよいので、電池（５３）の消費が少なく、電池容量を小さくすることができる。また、電池（５３）の重量を軽くできる。
【００４０】
また、噴霧機を背負式とした場合でも、噴霧機（２０）の重量は軽くできるので噴霧作業が楽に行える。
【図面の簡単な説明】
【図１】  本発明の実施形態である背負型電池噴霧機の構成図
【図２】  背負型電池噴霧機の回路接続図
【図３】  従来の背負型電池噴霧機の正面図
【図４】  同上側面図
【符号の説明】
１１  グリップ
１３  バルブ
１５  ランス
１７  ノズル
２０  背負型電池噴霧機
２９  背負バンド
３１  薬剤タンク
３３  筒口
３５  ブラケット
３９  水位管
３９ａ  水入口
４１  キャップ
４５  貫通パイプ
４７  空圧ポンプ
４９  モータ
５１  圧力スイッチ
５３  電池
５５  スイッチ
５７  薬液
【図１】
0003734410.tif 000002
【図２】
0003734410.tif 000003
【図３】
0003734410.tif 000004
【図４】
0003734410.tif 000005